(57)【要約】【課題】固体撮像素子が搭載された固体撮像素子基板に大きな圧力をかけることなく該固体撮像素子基板の反りを防止することのできる固体撮像素子基板の固定構造及び画像読取装置を提供すること。【解決手段】ＣＣＤ１１が搭載されたＣＣＤ基板１が，ＣＣＤ基板１の長手方向のＣＣＤ１１の両外側の二つの固定領域に設けられたネジ穴１２で基板支持部材２に固定されてなる固体撮像素子基板の固定構造であって，二つの前記固定領域の略中央部であってＣＣＤ基板１の長手方向と垂直な方向のＣＣＤ１１の両外側の二つの付勢領域において該ＣＣＤ基板１を基板支持部材２側に向けて付勢するための二つの弾性部材１３，１４と，ＣＣＤ基板１が基板支持部材２に固定されたときに，二つの前記付勢領域においてＣＣＤ基板１及び基板支持部材２の間に挟まれて両方に接触する二つの突出部２２ｂ，２３ｂと，を備えている。【選択図】図４
2008270996.tif 000002
【特許請求の範囲】
【請求項１】
入力される光学像を電気信号に変換する固体撮像素子が搭載された固体撮像素子基板が，少なくとも前記固体撮像素子基板の長手方向の前記固体撮像素子の両外側の二つの固定領域において，該固体撮像素子基板を支持する基板支持部材に固定されてなる固体撮像素子基板の固定構造であって，
二つの前記固定領域の略中央部であって前記固体撮像素子基板の長手方向と垂直な方向の前記固体撮像素子の両外側の二つの付勢領域において該固体撮像素子基板を前記基板支持部材側に向けて付勢するための二つの弾性部材と，
前記固体撮像素子基板又は前記基板支持部材に設けられてなり，前記固体撮像素子基板が前記基板支持部材に固定されたときに，二つの前記付勢領域において前記固体撮像素子基板及び前記基板支持部材の間に挟まれて両方に接触する二つの接触部と，
を備えてなることを特徴とする固体撮像素子基板の固定構造。
【請求項２】
前記弾性部材による前記固体撮像素子基板の付勢箇所と前記接触部の前記固体撮像素子基板への接触箇所とが近接してなる請求項１に記載の固体撮像素子基板の固定構造。
【請求項３】
前記弾性部材が，
前記固体撮像素子基板から突出する第一の面と，該第一の面から曲折されてなり，前記固体撮像素子基板側に突出する突出部が設けられた第二の面とを含む略Ｌ字状に形成されてなり，
前記突出部が前記基板支持部材に設けられた付勢接触部材に接触し，且つ前記接触部が前記固体撮像素子基板及び前記基板支持部材の間に挟まれて両方に接触することにより，該固体撮像素子基板を前記基板支持部材側に向けて付勢するものである請求項１又は２のいずれかに記載の固体撮像素子基板の固定構造。
【請求項４】
前記弾性部材が，
前記基板支持部材に固定するための固定部が設けられた第三の面と，該第三の面から曲折されてなり，該第三の面側に向けて突出する突出部を有する第四の面とを含む略Ｌ字状に形成されてなり，
前記突出部が前記固体撮像素子基板の前記基板支持部材と反対側の面に接触するように前記第三の面が前記基板支持部材に固定され，且つ前記接触部が前記固体撮像素子基板及び前記基板支持部材の間に挟まれて両方に接触することにより，該固体撮像素子基板を前記基板支持部材側に向けて付勢するものである請求項１又は２のいずれかに記載の固体撮像素子基板の固定構造。
【請求項５】
前記突出部の前記固体撮像素子基板への接触箇所と前記接触部の前記固体撮像素子基板への接触箇所とが，前記固体撮像素子基板の表裏面の略同一箇所である請求項４に記載の固体撮像素子基板の固定構造。
【請求項６】
前記接触部の先端及び／又は前記突出部の先端が曲面である請求項１〜５のいずれかに記載の固体撮像素子基板の固定構造。
【請求項７】
前記固体撮像素子基板が，前記固定領域に形成されたネジ穴に挿入したネジを前記基板支持部材に螺合することによって該基板支持部材に固定されるものであって，
前記ネジ穴が，前記固定領域において長尺状を成す請求項６に記載の固体撮像素子基板の固定構造。
【請求項８】
請求項１〜７のいずれかに記載の固体撮像素子基板の固定構造を有してなる画像読取装置。
【発明の詳細な説明】
【技術分野】
【０００１】
本発明は，画像読取装置における画像の読み取りに用いられるＣＣＤ等の固体撮像素子が搭載された固体撮像素子基板を該固体撮像素子基板を支持する基板支持部材に固定するための固定構造に関し，特に，温度変化などによる前記固体撮像素子基板の反りを防止するための技術に関するものである。
【背景技術】
【０００２】
一般に，複写機やスキャナ装置，ファクシミリ装置などに設けられる画像読取装置では，原稿からの光学像を電荷結合素子（ＣＣＤ）などの固体撮像素子で電気信号に変換することにより該原稿の画像が読み取られる。固体撮像素子は，他の電気部品と共に電気基板（以下，「固体撮像素子基板」という）に実装される。この固体撮像素子基板は，例えば画像読取装置に設けられたレーザダイオードやレンズ，ミラーなどの各種の光学機器が収容される筐体に設けられた基板支持部材にネジ等で固着される。
ところで，ネジ等で基板支持部材に固定された固体撮像素子基板には，基板支持部材と固体撮像素子基板との膨張率の違いなどによって温度変化時に反りが生じることがある。固体撮像素子基板に反りなどの変形が生じると，ピント不良や解像度低下などが発生し，画像読取精度が低下する。
そこで，例えば特許文献１では，固体撮像素子基板を撓ませた状態で二つのネジで固定することにより，温度変化などによる固体撮像素子基板の反りを抑制することが提案されている。
【特許文献１】特開２００３−１１５９７８号公報
【発明の開示】
【発明が解決しようとする課題】
【０００３】
しかしながら，前記特許文献１では，固体撮像素子基板に該固体撮像素子基板が撓む程度の大きな圧力が作用するため，固体撮像素子基板自体や，該固体撮像素子基板に搭載された固体撮像素子及びその他の電子部品などが破損や故障するおそれがある。また，前記固体撮像素子基板の固定時の撓み方によって読取精度が低下することも考えられる。
従って，本発明は上記事情に鑑みてなされたものであり，その目的とするところは，固体撮像素子が搭載された固体撮像素子基板に大きな圧力をかけることなく該固体撮像素子基板の反りを防止することのできる固体撮像素子基板の固定構造及び画像読取装置を提供することにある。
【課題を解決するための手段】
【０００４】
上記目的を達成するために本発明は，入力される光学像を電気信号に変換する固体撮像素子が搭載された固体撮像素子基板が，少なくとも前記固体撮像素子基板の長手方向の前記固体撮像素子の両外側の二つの固定領域において，該固体撮像素子基板を支持する基板支持部材に固定されてなる固体撮像素子基板の固定構造に適用されるものであって，二つの前記固定領域の略中央部であって前記固体撮像素子基板の長手方向と垂直な方向の前記固体撮像素子の両外側の二つの付勢領域において該固体撮像素子基板を前記基板支持部材側に向けて付勢するための二つの弾性部材と，前記固体撮像素子基板又は前記基板支持部材に設けられてなり，前記固体撮像素子基板が前記基板支持部材に固定されたときに，二つの前記付勢領域において前記固体撮像素子基板及び前記基板支持部材の間に挟まれて両方に接触する二つの接触部と，を備えてなることを特徴とする固体撮像素子基板の固定構造として構成される。
本発明の構成では，前記固体撮像素子基板は前記弾性部材によって付勢されているに過ぎず，前記固体撮像素子基板を撓ませた状態で支持する従来技術（例えば特許文献１参照）のように前記固体撮像素子基板に大きな圧力が作用しないため，前記固体撮像素子基板自体や該固体撮像素子基板に搭載された前記固体撮像素子，その他の電子部品などの破損や故障などを防止することができる。また，前記弾性部材及び前記接触部によって前記固体撮像素子基板を支持することによって温度変化などによる該固体撮像素子基板の反りを防止することができる。
ここで，前記弾性部材による前記固体撮像素子基板の付勢箇所と前記接触部の前記固体撮像素子基板への接触箇所との離間距離が大きければ，前記固体撮像素子基板に作用する曲げモーメントが大きくなるため，前記付勢箇所と前記接触箇所とは近接していることが望ましい。これにより，前記弾性部材により前記固体撮像素子基板に作用する曲げモーメントを極力小さくすることができ，該固体撮像素子基板の撓みなどを防止することができる。
【０００５】
具体的に，前記弾性部材は，前記固体撮像素子基板から突出する第一の面と，該第一の面から曲折されてなり，前記固体撮像素子基板側に突出する突出部が設けられた第二の面とを含む略Ｌ字状に形成されてなり，前記突出部が前記基板支持部材に設けられた付勢接触部材に接触し，且つ前記接触部が前記固体撮像素子基板及び前記基板支持部材の間に挟まれて両方に接触することにより，該固体撮像素子基板を前記基板支持部材側に向けて付勢するものであることが考えられる（例えば，図３，４参照）。
【０００６】
また，他の例として，前記弾性部材が，前記基板支持部材に固定するための固定部が設けられた第三の面と，該第三の面から曲折されてなり，該第三の面側に向けて突出する突出部を有する第四の面とを含む略Ｌ字状に形成されてなり，前記突出部が前記固体撮像素子基板の前記基板支持部材と反対側の面に接触するように前記第三の面が前記基板支持部材に固定され，且つ前記接触部が前記固体撮像素子基板及び前記基板支持部材の間に挟まれて両方に接触することにより，該固体撮像素子基板を前記基板支持部材側に向けて付勢するものであることも考えられる（例えば，図８，９参照）。
特に，この構成では，前記突出部の前記固体撮像素子基板への接触箇所と前記接触部の前記固体撮像素子基板への接触箇所とが，前記固体撮像素子基板の表裏面の略同一箇所であることが望ましい。これにより，前記弾性部材により前記固体撮像素子基板に作用する曲げモーメントを最低限に抑制することができる。
【０００７】
また，前記固体撮像素子基板や前記付勢接触部材を傷つけないように，前記接触部の先端や前記突出部の先端は曲面であることが望ましい。
特に，前記固体撮像素子基板が，前記固定領域に形成されたネジ穴に挿入したネジを前記基板支持部材に螺合することによって該基板支持部材に固定されるものであって，前記ネジ穴が，前記固定領域において長尺状を成す場合，即ち，前記ネジを緩めることによって前記固体撮像素子基板を揺動させて位置調整を行い得る構成では，前記接触部の先端や前記突出部の先端が曲面であることにより，該固体撮像素子基板の揺動抵抗が小さくなるため，容易に位置調整を行うことができる。
ところで，本発明は，前述した固体撮像素子基板の固定構造を有してなる画像読取装置の発明として捉えることもできる。このように構成された前記画像読取装置では，前記固体撮像素子基板の反りが防止されるため，前記固体撮像素子を用いる画像読取処理において高い画像読取精度を得ることができる。
【発明の効果】
【０００８】
本発明によれば，前記固体撮像素子基板は前記弾性部材によって付勢されているに過ぎず，前記固体撮像素子基板を撓ませた状態で支持する従来技術（例えば特許文献１参照）のように前記固体撮像素子基板に大きな圧力が作用しないため，前記固体撮像素子基板自体や該固体撮像素子基板に搭載された前記固体撮像素子，その他の電子部品などの破損や故障などを防止することができる。また，前記弾性部材及び前記接触部によって前記固体撮像素子基板を支持することによって温度変化などによる該固体撮像素子基板の反りを防止することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る固体撮像素子基板の固定構造を構成する固体撮像素子基板１の斜視図，図２は本発明の実施の形態に係る基板支持部材２の要部斜視図，図３は本発明の実施の形態に係る固体撮像素子基板の固定構造を説明するための要部斜視図，図４は本発明の実施の形態に係る固体撮像素子基板の固定構造を説明するための要部断面図である。
複写機やスキャナ装置，ファクシミリ装置などに設けられた画像読取装置では，原稿からの光学像を電気信号に変換する電荷結合素子（ＣＣＤ）などの固体撮像素子を用いて画像読取処理が実行される。
本発明は，前記固体撮像素子が搭載された固体撮像素子基板の反りを防止することのできる固体撮像素子基板の固定構造に関するものである。もちろん，本発明は，以下で説明する固体撮像素子基板の固定構造を有する画像読取装置の発明として捉えてもよい。
【００１０】
まず，図１及び図２を用いて，本発明の実施の形態に係る固体撮像素子基板の固定構造を構成する固体撮像素子基板１及び基板支持部材２各々について説明する。
図１に示すように，固体撮像素子基板１（以下，「ＣＣＤ基板１」という）には，入力される光学像を電気信号に変換する固体撮像素子の一例である電荷結合素子１１（以下，「ＣＣＤ１１」という）や他の電子部品（不図示）が搭載されている。なお，前記ＣＣＤ１１には，複数の受光素子などが設けられている。前記ＣＣＤ１１で変換された後の電気信号は，該ＣＣＤ１１が設けられる図外の画像読取装置の制御部（不図示）に入力され，画像データとして処理される。なお，前記ＣＣＤ１１に換えてＣＭＯＳなどの固体撮像素子を用いてもよい。
また，前記ＣＣＤ基板１には，該ＣＣＤ基板１の長手方向（図示するＸ方向）の前記ＣＣＤ１１の両外側の二つの領域（固定領域に相当）に，該ＣＣＤ基板１を支持する後述の基板支持部材２に固定するための二つのネジ穴１２が形成されている。前記ネジ穴１２は，前記ＣＣＤ基板１の長手方向と垂直な方向（図示するＹ方向）に長尺状を成す開口である。前記ＣＣＤ基板１は，前記ネジ穴１２にネジ１５（図３参照）が挿入され，前記ＣＣＤ基板１及び前記基板支持部材２が螺合されることにより，該ＣＣＤ基板１は該基板支持部材２に固定される。
【００１１】
さらに，前記ＣＣＤ基板１は，二つの前記ネジ穴１２の略中央部であって該ＣＣＤ基板１の長手方向と垂直な方向（図示するＹ方向）の前記ＣＣＤ１１の両外側の二つの領域（付勢領域に相当）において該ＣＣＤ基板１を後述の基板支持部材２側に向けて付勢するための二つの弾性部材１３，１４を有している。
前記弾性部材１３，１４は，弾性を有するＬ字状の部材であって，前記ＣＣＤ基板１から突出する第一の面１３ａ，１４ａと，該第一の面１３ａ，１４ａから下方に曲折された第二の面１３ｂ，１４ｂとを有している。なお，前記第一の面１３ａ，１４ａの一端は，前記ＣＣＤ基板１に半田付けによって接合されている。
前記第二の面１３ｂ，１４ｂには，前記ＣＣＤ基板１側に向けて突出し，先端が曲面の略半球状に形成された突出部１３ｃ，１４ｃ（図４参照）が設けられている。
ここで，前記ＣＣＤ基板１の表面と前記突出部１３ｃ，１４ｃの先端との間の距離は，後述の基板支持部材２に設けられた突出部２２ｂ，２３ｂの先端と接触面２２ｃ，２３ｃとの間の距離よりも短くなるように設計されている。
【００１２】
一方，図２に示すように，基板支持部材２には，前記ＣＣＤ基板１の二つのネジ穴１２に位置対応するネジ穴２１ａを有する二つのボス２１と，前記ＣＣＤ基板１の弾性部材１３，１４に位置対応する支持部２２，２３とが設けられている。なお，前記基板支持部材２は，例えば図外の画像読取装置に設けられたレーザダイオードやレンズ，ミラーなどの各種の光学機器が収容される筐体に設けられる。
前記支持部２２は，前記ＣＣＤ基板１の弾性部材１３の第二の面１３ｂが挿入される係合溝２２ａと，前記ＣＣＤ基板１が当該基板支持部材２に固定されたときに該ＣＣＤ基板１に接触する突出部２２ｂ（接触部の一例）とを有している。同じく，前記支持部２３には，前記ＣＣＤ基板１の弾性部材１４の第二の面１４ｂが挿入される係合溝２３ａと，前記ＣＣＤ基板１が当該基板支持部材２に固定されたときに該ＣＣＤ基板１に接触する突出部２３ｂ（接触部の一例）とを有している。
前記係合溝２２ａ，２３ａは，該ＣＣＤ基板１の弾性部材１３，１４の突出部１３ｃ，１４ｃが接触する接触面２２ｃ，２３ｃ（付勢接触部材の一例）を有している。
【００１３】
前記突出部２２ｂ，２３ｂは，前記ＣＣＤ基板１の長手方向と垂直な方向（図示するＹ方向）における前記ＣＣＤ１１の両外側の領域（付勢領域に相当）に位置対応して設けられ，前記支持部２２，２３から外方向に向けて突出し，先端が曲面の略半球状に形成されている。前記突出部２２ｂ，２３ｂは，前記ＣＣＤ基板１が前記基板支持部材２に固定されたときに，該ＣＣＤ基板１及び該基板支持部材２の間に挟まれて両方に接触する。なお，前記突出部２２ｂ，２３ｂは，前記ＣＣＤ基板１側に設けられていてもよい。
【００１４】
以下，図３及び図４を参照しつつ，前記ＣＣＤ基板１及び前記基板支持部材２の固定構造について説明する。
まず，前記ＣＣＤ基板１は，前記弾性部材１３，１４の第二の面１３ｂ，１４ｂが，前記基板支持部材２の支持部２２，２３の係合溝２２ａ，２３ａ内に上方から挿入されることにより，該基板支持部材２に係合される。
このとき，前述したように，前記ＣＣＤ基板１の表面と前記突出部１３ｃ，１４ｃの先端との間の距離が，前記突出部２２ｂ，２３ｂの先端と前記接触面２２ｃ，２３ｃとの間の距離よりも短くなるように設計されているため，前記突出部２２ｂ，２３ｂは，前記ＣＣＤ基板１と前記基板支持部材２との間に挟まれて両方に接触した状態となる。
一方，前記弾性部材１３，１４は，前記突出部１３ｃ，１４ｃが前記接触面２２ｃ，２３ｃに接触して弾性変形した状態で，前記係合溝２２ａ，２３ａに挿入されることになる。これにより，前記ＣＣＤ基板１は，該ＣＣＤ基板１上の前記弾性部材１３，１４の接合部で前記基板支持部材２側に向けて付勢されることになる。
このように，前記ＣＣＤ基板１が前記基板支持部材２に装着されるとき，前記突出部１３ｃ，１４ｃが前記接触面２２ｃ，２３ｃに，前記突出部２２ｂ，２３ｂが前記ＣＣＤ基板１の表面に確実に接触することになる。
【００１５】
その後，前記ネジ穴１２及び前記ネジ穴２１ａにネジ１５が挿入され，前記ＣＣＤ基板１及び前記基板支持部材２が螺合されることにより，該ＣＣＤ基板１は該基板支持部材２に固定される。このとき，前記ネジ穴１２が長尺状を成しているため，前記ネジ１５を前記ネジ穴１２及び前記ネジ穴２１ａに挿入した状態であっても，前記ＣＣＤ基板１を容易に揺動させることができるため，位置調整を容易に行うことができる。
また，前記突出部１３ｃ，１４ｃ，２２ｂ，２３ｂが先端が曲面である略半球形状を成しているため，前記ＣＣＤ基板１の表面や前記接触面２２ｃ，２３ｃとの接触抵抗が小さく，前記ＣＣＤ基板１の位置調整のための揺動を容易に行うことができる。また，前記ＣＣＤ基板１を揺動させたときに，前記突出部１３ｃ，１４ｃ，２２ｂ，２３ｂが前記ＣＣＤ基板１の表面や前記接触面２２ｃ，２３ｃなどを傷つけることもない。なお，前記１３ｃ，１４ｃ，２２ｂ，２３ｂは先端が曲面であれば，半円柱形状などの他の形状であってもよい。
【００１６】
このようにして前記ＣＣＤ基板１が前記基板支持部材２に固定されることにより構成された固定構造では，前記ＣＣＤ基板１は，前記ネジ１５による２箇所の固定に加えて，前記突出部１３ｃ，１４ｃ及び前記接触面２２ｃ，２３ｃの接触と，前記突出部２２ｂ，２３ｂ及び前記ＣＣＤ基板１の表面の接触とによっても支持されることになるため，温度変化などによる前記ＣＣＤ基板１の反り（図示するＺ方向の変形）を防止することができる。
ところで，前記ＣＣＤ基板１が，前記突出部２２ｂ，２３ｂ及び前記ＣＣＤ基板１の表面が接触した状態で，前記弾性部材１３，１４によって前記基板支持部材２側に向けて付勢されるため，前記ＣＣＤ基板１に曲げモーメントが生じることが懸念される。そこで，図４に示すように，前記突出部２２ｂ，２３ｂの前記ＣＣＤ基板１への接触箇所と，前記弾性部材１３，１４による前記ＣＣＤ基板１の付勢箇所，即ち前記弾性部材１３，１４の前記ＣＣＤ基板１への接合部とが近接するように，前記突出部２２ｂ，２３ｂ及び前記弾性部材１３，１４を配置しておくことが望ましい。これにより，前記弾性部材１３，１４によって前記ＣＣＤ基板１に作用する曲げモーメントを小さくすることができる。
【実施例】
【００１７】
次に，図５〜９を用いて，本発明に係る固体撮像素子基板の固定構造の他の例について説明する。ここに，図５は本発明の実施例に係る固体撮像素子基板の固定構造を構成する固体撮像素子基板３の斜視図，図６は本発明の実施例に係る固体撮像素子基板の固定構造を構成する基板支持部材４の要部斜視図，図７は本発明の実施例に係る固体撮像素子基板の固定構造を構成する弾性部材５１の部品図，図８は本発明の実施例に係る固体撮像素子基板の固定構造を説明するための要部斜視図，図９は本発明の実施例に係る固体撮像素子基板の固定構造を説明するための要部断面図である。
なお，前記実施の形態で説明した構成要素には同じ符号を付してその説明を省略する。本実施例に係る固体撮像素子基板の固定構造は，後述のＣＣＤ基板３，基板支持部材４及び弾性部材５が連結されることによって構成される。
図５に示すように，ＣＣＤ基板３は，前記弾性部材１３，１４（図１参照）が設けられていない点で前記ＣＣＤ基板１と構成を異にするが，その他の構成は前記ＣＣＤ基板１と同様である。
また，図６に示すように，基板支持部材４は，前記支持部２２，２３（図２参照）に換えて支持部４１，４２を有している。前記支持部４１，４２には，後述の弾性部材５１を固定するためのネジ穴４１ａ，４２ａと，前記ＣＣＤ基板３が当該基板支持部材４に固定されるときに該ＣＣＤ基板３の表面に接触する突出部４１ｂ，４２ｂ（前記突出部２２ｂ，２３ｂと同様，接触部の一例）とが設けられている。
一方，図７（ａ）の正面図及び図７（ｂ）の右側面図に示すように，弾性部材５１は，前記基板支持部材４に固定するためのネジ穴５３（固定部の一例）が設けられた第三の面５１ａと，該第三の面５１ａから曲折されてなり，第三の面５１ａ側に向けて突出する突出部５２（前記突出部１３ｃ，１４ｃと同様）を有する第四の面５１ｂとを含むＬ字状に形成されている。
【００１８】
以下，図８及び図９を参照しつつ，前記ＣＣＤ基板３，前記基板支持部材４及び前記弾性部材５が連結されることによって構成される固定構造について説明する。
まず，前記ネジ穴１２及び前記ネジ穴２１ａに前記ネジ１５が挿入され，前記ＣＣＤ基板３及び前記基板支持部材４が螺合されることにより，該ＣＣＤ基板３は該基板支持部材４に固定される。このとき，前記支持部４１，４２の突出部４１ｂ，４２ｂは，前記ＣＣＤ基板３及び前記基板支持部材４の間に挟まれて両方に接触することになる。
その後，前記突出部５２が前記ＣＣＤ基板３の前記基板支持部材４と反対側の面（裏面）に接触するように，前記弾性部材５１の第三の面５１ａが前記基板支持部材４に固定される。即ち，前記ＣＣＤ基板３は，前記支持部４１，４２の突出部４１ｂ，４２ｂと前記弾性部材５１の突出部５２とによって挟持される。
具体的には，二つのネジ５４が，前記ネジ穴５３及び前記支持部４１，４２のネジ穴４１ａ，４２ａに挿入されて螺合されることにより，前記弾性部材５１が前記基板支持部材４に固定される。このとき前記弾性部材５１は，前記突出部５２が前記ＣＣＤ基板３の裏面に接触して弾性変形した状態となり，前記ＣＣＤ基板３は，該ＣＣＤ基板３の裏面への前記弾性部材５１の突出部５２の接触部で前記基板支持部材４側に向けて付勢されることになる。
なお，前記弾性部材５１が装着された後でも，前記ネジ１５を緩めて前記ＣＣＤ基板３を揺動させることにより容易に該ＣＣＤ基板３の位置調整を行うことができる。
【００１９】
このようにして前記ＣＣＤ基板３が前記基板支持部材４に固定され，前記弾性部材５１が装着されることにより構成された固定構造では，前記ＣＣＤ基板３は，前記ネジ１５による２箇所の固定に加えて，前記弾性部材５１の突出部５３及び前記ＣＣＤ基板３の裏面の接触と，前記突出部４１ｂ，４２ｂ及び前記ＣＣＤ基板３の表面の接触とによって支持されることになる。したがって，温度変化などによる前記ＣＣＤ基板３の反り（図示するＺ方向の変形）は，前記突出部５３及び前記突出部４１ｂ，４２ｂの挟持によって防止される。
また，図９に示すように，前記突出部５２の前記ＣＣＤ基板１の裏面への接触箇所と，前記突出部２２ｂ，２３ｂの前記ＣＣＤ基板１の表面への接触箇所とが，前記ＣＣＤ基板３の表裏面の略同一箇所となるように，前記突出部５２及び前記突出部２２ｂ，２３ｂを配置しておくことにより，前記弾性部材５１により前記ＣＣＤ基板３に作用する曲げモーメントを最低限に抑制することができる。
【図面の簡単な説明】
【００２０】
【図１】本発明の実施の形態に係る固体撮像素子基板の固定構造を構成する固体撮像素子基板の斜視図。
【図２】本発明の実施の形態に係る固体撮像素子基板の固定構造を構成する基板支持部材の要部斜視図。
【図３】本発明の実施の形態に係る固体撮像素子基板の固定構造を説明するための要部斜視図。
【図４】本発明の実施の形態に係る固体撮像素子基板の固定構造を説明するための要部断面図。
【図５】本発明の実施例に係る固体撮像素子基板の固定構造を構成する固体撮像素子基板の斜視図。
【図６】本発明の実施例に係る固体撮像素子基板の固定構造を構成する基板支持部材の要部斜視図。
【図７】本発明の実施例に係る固体撮像素子基板の固定構造を構成する弾性部材の部品図。
【図８】本発明の実施例に係る固体撮像素子基板の固定構造を説明するための要部斜視図。
【図９】本発明の実施例に係る固体撮像素子基板の固定構造を説明するための要部断面図。
【符号の説明】
【００２１】
１，３…ＣＣＤ基板（固体撮像素子基板の一例）
２，４…基板支持部材
１１…電荷結合素子（固体撮像素子の一例）
１２…ネジ穴
１３，１４…弾性部材
１３ａ，１４ａ…第一の面
１３ｂ，１４ｂ…第二の面
１３ｃ，１４ｃ…突出部
１５…ネジ
２１…ボス
２１ａ…ネジ穴
２２，２３，４１，４２…支持部
２２ａ，２３ａ…係合溝
２２ｂ，２３ｂ…突出部（接触部の一例）
２２ｃ，２３ｃ…接触面（付勢接触部材の一例）
４１ａ，４２ａ…ネジ穴
４１ｂ，４２ｂ…突出部（接触部の一例）
５１…弾性部材
５１ａ…第三の面
５１ｂ…第四の面
５２…突出部
５３…ネジ穴
５４…ネジ
【図１】
2008270996.tif 000003
【図２】
2008270996.tif 000004
【図３】
2008270996.tif 000005
【図４】
2008270996.tif 000006
【図５】
2008270996.tif 000007
【図６】
2008270996.tif 000008
【図７】
2008270996.tif 000009
【図８】
2008270996.tif 000010
【図９】
2008270996.tif 000011